(57)【要約】【課題】使用時における送風部材の送風効率の低下を招くことなく、開閉部材を開放してメンテナンスを行うときに、ねじ等が送風開口を通して落下してファン等の送風部材に衝突することを防止する。【解決手段】画像形成装置本体（電子機器本体）の背面側に備えてその画像形成装置本体を電気的に制御する電装基板等の電装部品２Ｂ，２Ｃと、その電装部品を開放する開位置と、被う閉位置とに、画像形成装置本体に対して開閉可能に備える電装ボックス（開閉部材）４０と、上向きに設ける送風開口４４を通して上方の電装部品に送風するファン等の送風部材４２と、電装ボックスの開閉動作に連動して移動自在に設け、電装ボックスが閉位置にあるときは、送風開口を開放する第１位置とし、電装ボックスが開位置にあるときは、送風開口を塞ぐ第２位置とするカバー部材４６とを有する。【選択図】図４
2007148067.tif 000002
【特許請求の範囲】
【請求項１】
電子機器本体の背面側に備えてその電子機器本体を電気的に制御する電装部品と、
その電装部品を開放する開位置と、被う閉位置とに、前記電子機器本体に対して開閉可能に備える開閉部材と、
上向きに設ける送風開口を通して上方の前記電装部品に送風する送風部材と、
前記開閉部材の開閉動作に連動して移動自在に設け、前記開閉部材が前記閉位置にあるときは、前記送風開口を開放する第１位置とし、前記開閉部材が前記開位置にあるときは、前記送風開口を塞ぐ第２位置とするカバー部材と、
を有することを特徴とする電子機器。
【請求項２】
前記開閉部材を前記閉位置としたとき、その開閉部材を保持する保持部材を前記電子機器本体側に設け、
その保持部材に前記カバー部材を回動自在に軸支するとともに、
前記開閉部材の開閉動作によりその開閉部材で押し込みまたはその押し込みを解除して前記カバー部材を回動し、前記開閉部材の開閉動作に連動して前記カバー部材を移動自在に設ける
ことを特徴とする、請求項１に記載の電子機器。
【請求項３】
前記開閉部材を前記閉位置として前記カバー部材を前記第１位置としたとき、そのカバー部材に、前記送風開口から出た風を前記電装部品へと案内する働きを持たせることを特徴とする、請求項１または２に記載の電子機器。
【請求項４】
風を案内する方向を変更可能に、前記カバー部材を変形自在とすることを特徴とする、請求項３に記載の電子機器。
【請求項５】
前記開閉部材に、前記電装部品とは異なる第２の電装部品を搭載し、前記開閉部材を前記閉位置としたときに、それらの電装部品と第２の電装部品とが重なり合う位置関係とすることを特徴とする、請求項１ないし４のいずれか１に記載の電子機器。
【請求項６】
請求項１ないし５のいずれか１に記載の電子機器の１つであることを特徴とする画像形成装置。
【請求項７】
前記電装部品として、トナー補給系の電装部品を備えることを特徴とする、請求項６に記載の画像形成装置。
【発明の詳細な説明】
【技術分野】
【０００１】
この発明は、家庭用、事務用、工業用などの一般電子機器、およびその電子機器の１つである複写機、プリンタ、ファクシミリまたはそれらの複合機などの画像形成装置に関する。
【背景技術】
【０００２】
一般的な電子機器のうち、例えば複写機の場合においては、カラー化や高速化などにともない、機器本体を電気的に制御する電装基板等の電装部品が急増し続ける一方で、機器本体の小型化を図って設置スペースを小さくすることが要求されている。このため、電装部品を機器本体の背面側にまとめて電装基板等を重ね合わせて配置することにより、そのような電装部品の急増に対応するとともに、省スペース化の要請に応えることが行われている。
【０００３】
ところが、電装基板等を重ね合わせて配置すると、当然に、内側に配置される電装基板等の電装部品のメンテナンスが困難になる。そこで、外側の電装部品を扉のような開閉部材に取り付け、その開閉部材を機器本体に対して開閉自在とすることによりメンテナンス性を向上させるものがある。
【０００４】
また、使用にともない、電装部品が熱を発生する。このため、機内の温度上昇を防止すべく、ファンを設けて機外から空気を取り入れ、機内の空気を強制的に機外に排出することが行われている。
【０００５】
例えば、特許文献１や特許文献２に記載されるように、電装部品をまとめて電装基板等を重ね合わせて配置することにより、電装部品の急増に対応するとともに、省スペース化の要請に応えるものがある。また、特許文献３ないし５に記載されるように、通風による冷却装置を備えるものがある。
【０００６】
【特許文献１】特開２００１−３４７７２２号公報
【特許文献２】特公平８−２５３０１号公報
【特許文献３】特開平３−１３９１４５号公報
【特許文献４】特開平８−１２１９３３号公報
【特許文献５】特開２００３−７６２５３号公報
【発明の開示】
【発明が解決しようとする課題】
【０００７】
ところで、ファンを設けて機外から空気を取り入れ、機内の空気を強制的に機外に排出するとき、ファンを上下方向に向けて設置し、気流を下部から取り込んで上方へ送る場合がある。しかしながら、このようにすると、ファンの送風開口が上方に向いてしまい、機器本体の開閉部材を開放してメンテナンスなどを行う際に、外したねじなどが誤って送風開口を通して内部に落下することがあった。
【０００８】
そこで、ファン内部に入り込まないようにするため、ファンの送風開口にねじが入り込めない程度に細かいスリットや孔があいたガードを付けることがある。ところが、そのようにすると、ガードを付けることにより、ファンの送風効率が低下することとなる。特に、ファンまわりのレイアウトに余裕がない場合などは、ガードとファンとの距離が近くダクトを設置することも難しいことがある。
【０００９】
よって、この発明の第１の目的は、電装部品を電子機器本体の背面側に備えて電装関係部品のメンテナンスを容易とするとともに電子機器本体の小型化を図り、下方に配置するファン等から送風部材から送風して電装部品の温度上昇を防止する電子機器において、使用時における送風部材の送風効率の低下を招くことなく、開閉部材を開放してメンテナンスを行うときに、ねじ等が送風開口を通して落下してファン等の送風部材に衝突することを防止することにある。
【００１０】
この発明の第２の目的は、送風開口を塞いだり開放したりするカバー部材動作のための機構や部品を不要として、コストおよびレイアウトをミニマム化することにある。
【００１１】
この発明の第３の目的は、コストをかけず、電装基板等の電装部品をより効果的に冷却することにある。
【００１２】
この発明の第４の目的は、ファン等の送風部材からの風の向きを変える必要が生じた場合には、ミニマムコストで、より早く、簡易に対応可能とすることにある。
【００１３】
この発明の第５の目的は、電子機器本体の小型化を図る一方、電装関係部品を効率よく冷却するとともに、電装関係部品のメンテナンスを容易とすることにある。
【００１４】
この発明の第６の目的は、請求項１ないし５のいずれか１に記載の電子機器の１つである画像形成装置に利用することにある。
【００１５】
この発明の第７の目的は、画像形成装置において、温度上昇によるトナーの溶融を防止することにある。
【課題を解決するための手段】
【００１６】
このため、請求項１に記載の発明は、上述した第１の目的を達成すべく、電子機器において、
電子機器本体の背面側に備えてその電子機器本体を電気的に制御する電装基板等の電装部品と、
その電装部品を開放する開位置と、被う閉位置とに、電子機器本体に対して開閉可能に備える扉のような開閉部材と、
上向きに設ける送風開口を通して上方の電装部品に送風するファン等の送風部材と、
開閉部材の開閉動作に連動して移動自在に設け、開閉部材が閉位置にあるときは、送風開口を開放する第１位置とし、開閉部材が開位置にあるときは、送風開口を塞ぐ第２位置とするカバー部材とを有することを特徴とする。
【００１７】
そして、電子機器本体に対して開閉部材を閉位置として電装部品を被ったとき、その開閉部材の閉動作に連動してカバー部材を第１位置へと移動して送風開口を開放し、送風部材の風を送風開口を通して上方へと送り、電装部品を冷却する。逆に、開閉部材を開位置として電装部品を開放するとき、その開閉部材の開動作に連動してカバー部材を第２位置へと移動して送風開口を塞ぐ。
【００１８】
請求項２に記載の発明は、上述した第２の目的を達成すべく、請求項１に記載の電子機器において、
開閉部材を閉位置としたとき、その開閉部材を例えばねじ止めして保持するブラケット等の保持部材を電子機器本体側に設け、
その保持部材にカバー部材を回動自在に軸支するとともに、
開閉部材の開閉動作によりその開閉部材で押し込みまたはその押し込みを解除してカバー部材を回動し、開閉部材の開閉動作に連動してカバー部材を移動自在に設けることを特徴とする。
【００１９】
そして、開閉部材を閉位置としたとき、その開閉部材の閉動作により開閉部材で押し込んでカバー部材を回動し、第１位置として送風開口を開放する。逆に、開閉部材を開位置としたとき、その開閉部材の開動作により押し込みを解除してカバー部材を例えば重力等により回動し、第２位置として送風開口を塞ぐ。
【００２０】
請求項３に記載の発明は、上述した第３の目的を達成すべく、請求項１または２に記載の電子機器において、開閉部材を閉位置としてカバー部材を第１位置としたとき、そのカバー部材に、送風開口から出た風を、電子機器本体の背面側に備える電装部品へと案内する働きを持たせることを特徴とする。
【００２１】
そして、開閉部材を閉位置としたとき、その開閉部材の閉動作に連動してカバー部材を第１位置へと移動して送風開口を開放し、送風部材の風を送風開口を通してカバー部材で案内して上方へと送り、電装部品を冷却する。
【００２２】
請求項４に記載の発明は、上述した第４の目的を達成すべく、請求項３に記載の電子機器において、風を案内する方向を変更可能に、カバー部材を変形自在とすることを特徴とする。
【００２３】
そして、カバー部材の形状を適宜変更し、開閉部材を閉位置とすることにより、送風部材からの風で電装部品を冷却するとき、カバー部材で風を的確な方向に案内する。
【００２４】
請求項５に記載の発明は、上述した第５の目的を達成すべく、請求項１ないし４のいずれか１に記載の電子機器において、開閉部材に、電装部品とは異なる第２の電装部品を搭載し、開閉部材を閉位置としたときに、それらの電装部品と第２の電装部品とが重なり合う位置関係とすることを特徴とする。
【００２５】
そして、開閉部材を閉位置としたとき、電子機器本体に備える電装部品と、開閉部材に搭載する第２の電装部品とを重ね合わせる。
【００２６】
請求項６に記載の発明は、上述した第６の目的を達成すべく、請求項１ないし５のいずれか１に記載の電子機器の１つである、複写機、プリンタ、ファクシミリまたはそれらの複合機などの画像形成装置である。
【００２７】
請求項７に記載の発明は、上述した第７の目的を達成すべく、請求項６に記載の画像形成装置において、電装部品として、トナー補給系の電装部品を備えることを特徴とする。
【００２８】
そして、開閉部材を閉位置としたとき、その開閉部材の閉動作に連動してカバー部材を第１位置へと移動して送風開口を開放し、トナー補給系の電装部品を、送風部材で送風して冷却する。
【発明の効果】
【００２９】
請求項１に記載の発明によれば、電子機器本体を電気的に制御する電装部品を電子機器本体の背面側に備えるので、背面側の外装カバーを外せば、電装部品を露出し、電装部品のメンテナンスを容易とし、また電装部品を電子機器本体の背面側にまとめて電子機器本体の小型化を図ることができる。
【００３０】
そして、電子機器本体に対して開閉部材を閉位置として電装部品を被ったとき、その開閉部材の閉動作に連動してカバー部材を第１位置へと移動して送風開口を開放し、下方に設ける送風部材から送風開口を通して上方へと送風して、電装部品を冷却するので、温度上昇を防止することができる。
【００３１】
逆に、開閉部材を開位置として電装部品を開放するとき、その開閉部材の開動作に連動してカバー部材を第２位置へと移動して送風開口を塞ぐので、電装関係のメンテナンス時に落下したねじ等が送風開口から内部に入り込むことを防止することができる。よって、送風開口にあらかじめ、スリットや孔のあるガードを付ける必要がないことから、開閉部材を閉位置として使用するときの送風効率の低下も防ぐことができる。
【００３２】
さらに、開閉部材の開閉動作に連動してカバー部材を移動するので、メンテナンス時に開閉部材を開位置としたとき自動的にカバー部材を閉じて送風開口を被う手間をなくし、また被い忘れをなくすことができる。
【００３３】
請求項２に記載の発明によれば、請求項１に記載の発明の効果に加え、開閉部材の開閉動作により押し込みまたはその押し込みを解除してカバー部材を回動し、開閉部材の開閉動作に連動してカバー部材を移動自在に設けるので、開閉部材の開閉を利用してカバー部材を開閉し、送風開口を塞いだり開放したりするカバー部材動作のための機構や部品を不要としてコストおよびレイアウトをミニマム化することができる。
【００３４】
請求項３に記載の発明によれば、請求項１または２に記載の発明の効果に加え、開閉部材を閉位置としたとき、送風部材の風を送風開口を通してカバー部材で案内して上方へと送るので、コストをかけず、電装部品をより効果的に冷却することができる。
【００３５】
請求項４に記載の発明によれば、カバー部材の形状を適宜変更し、開閉部材を閉位置とすることにより、送風部材からの風で電装部品を冷却するとき、カバー部材で風を的確な方向に案内するので、送風部材からの風の向きを変える必要が生じた場合には、ミニマムコストで、より早く、簡易に調整を行うことができる。
【００３６】
請求項５に記載の発明によれば、開閉部材を閉位置としたとき、電装部品と第２の電装部品とを重ね合わせるので、場所を取らずに電装関係部品をまとめて電子機器本体の小型化を図る一方、送風部材で風を送って電装関係部品を一括して効率よく冷却することができる。そして、第２の電装部品を搭載する開閉部材を開くことによりその内側に配置する電装部品を露出して、電装関係部品のメンテナンスを容易とすることもできる。
【００３７】
請求項６に記載の発明によれば、請求項１ないし５のいずれか１に記載の電子機器の１つである画像形成装置に適用することができる。
【００３８】
請求項に記載の発明によれば、画像形成装置において、トナー補給系の電装部品を、送風部材で送風して冷却するので、温度上昇によるトナーの溶融を防止することができる。
【発明を実施するための最良の形態】
【００３９】
以下、図面を参照しつつ、この発明の実施の最良形態につき説明する。
図１には、この発明による電子機器の一例であるタンデム型の電子写真式画像形成装置の外観を示す。図示画像形成装置は、複写機であるが、ＬＡＮケーブルや電話回線で接続することにより、プリンタ、スキャナ、ファクシミリとしても用いることができる。
【００４０】
図中符号１は、正面を矢印Ａで示す画像形成装置本体であり、中央部に画像形成部２が給紙部３上に載置して配置されている。また、画像形成部２の上には、排紙部４を挟んで原稿読取り部５が配置され、いわゆる胴内排紙部が設けられている。原稿読取部５の正面側には、画像形成装置の複数の機能を操作するための入力手段（スタートキー、テンキー、機能設定キー、リセットキー、クリア／ストップキー等の各種キー）と、各種入力情報や装置の状態を表示する表示手段（液晶表示パネル、入力手段を兼ねた液晶タッチパネル等）とを有する操作部６が設けられている。
【００４１】
図２には、図１に示す画像形成装置の内部機構の全体概略構成を示す。
画像形成装置本体１の画像形成部２内には、イエロ（Ｙ）、シアン（Ｃ）、マゼンタ（Ｍ）、ブラック（Ｂ）の各色の画像を形成するための４つの作像ステーションが、無端ベルト状の中間転写ベルト１７ａを有する中間転写ユニット１７に沿ってタンデム型に並べて配置されており、４つの作像ステーションの下には光書込装置１３が設置されている。
【００４２】
各作像ステーションの構成は同じであり、像担持体としての感光体ドラム１１Ｙ，１１Ｃ，１１Ｍ，１１Ｂをそれぞれ有し、そのまわりに、それぞれ専用の帯電装置１２Ｙ，１２Ｃ，１２Ｍ，１２Ｂ、現像装置１４Ｙ，１４Ｃ，１４Ｍ，１４Ｂ、一次転写ローラ１５Ｙ，１５Ｃ，１５Ｍ，１５Ｂ、クリーニング装置１６Ｙ，１６Ｃ，１６Ｍ，１６Ｂが配置されている。
【００４３】
光書込装置１３は、４つの作像ステーションに対して配置され、中央に１つの偏向器を有し、４つの光源からの光束を一つの偏向器で４系統に振り分けて偏向走査し、４つの感光体ドラム１１Ｙ，１１Ｃ，１１Ｍ，１１Ｂにそれぞれ潜像を書込むものであり、各色毎に用意されたレーザダイオード（ＬＤ）を使用する４つの光源と、光源から出射されたレーザ光束をコリメートする光学系と、ポリゴンミラー（回転多面鏡）とポリゴンモータから構成される１つの偏向器（ポリゴンスキャナ）と、各光源の光路に配置されたｆθレンズ等の走査・結像用のレンズや補正用レンズ、ミラー等からなる光学系とで構成されている。そして、各色の画像情報に応じてレーザダイオードから射出されたレーザ光は、ポリゴンスキャナにより偏向走査され、各色の感光体ドラム１１Ｙ，１１Ｃ，１１Ｍ，１１Ｂに照射される。
【００４４】
また、画像形成部２内には、胴内排紙部４の下に、各作像ステーションの現像装置１４Ｙ，１４Ｃ，１４Ｍ，１４Ｂにトナーを補給するためのトナーボトル３２Ｙ，３２Ｃ，３２Ｍ，３２Ｂが設けられている。各トナーボトル３２Ｙ，３２Ｃ，３２Ｍ，３２Ｂには、図中左からイエロ（Ｙ）、シアン（Ｃ）、マゼンタ（Ｍ）、ブラック（Ｂ）のトナーが充填されており、ここから図示しない搬送経路によって、所定の補給量だけ各色の現像装置１４Ｙ，１４Ｃ，１４Ｍ，１４Ｂに各色のトナーが補給される。
【００４５】
中間転写ユニット１７の中間転写ベルト１７ａは、駆動ローラや従動ローラなどにより支持されており、図中の矢印の向きに回動される。この中間転写ベルト１７ａの右側には、二次転写ローラ２２が設けられている。また、中間転写ベルト１７ａの左側には、中間転写ベルトクリーニング装置１８が設けられている。
【００４６】
一方、画像形成装置本体１の下部に設ける給紙部３には、記録材としての記録用紙Ｓが収納された２段の給紙カセット３ａ，３ｂが設置されており、いずれか一方の給紙カセットから給紙装置１９ａ，１９ｂにより記録用紙Ｓが給紙され、搬送ローラ２０ａ，２０ｂを介してレジストローラ２１に向けて給紙されるようになっている。レジストローラ２１に給紙された記録用紙Ｓは、所定のタイミングで二次転写ローラ２２に向けて送り出される。
【００４７】
二次転写ローラ２２の上方には、定着ユニット９が設置されている。この定着ユニット９内には、例えば定着ローラ９ａと加熱ローラ９ｂに支持された定着ベルト９ｃと、該定着ベルト９ｃに圧接する加圧ローラ９ｄが設けられている。
【００４８】
定着ユニット９の上方には、記録用紙Ｓを搬送し、胴内排紙部に設ける排紙部４に向けて排紙する搬送ローラ２３や排紙ローラ２４が設けられており、さらにその上には、両面プリント時に搬送路を切換える切換え爪２５や、スイッチバック式に記録用紙Ｓの搬送向きを反転するための反転搬送ローラ２６や、反転搬送路２７が設けられている。そして、反転搬送路２７に一時的にスタックされた記録用紙Ｓは、反転搬送ローラ２６で搬送向きを反転されて、両面用搬送路を通して搬送ローラ２８，２９により搬送され、レジストローラ２１に再給紙される。
【００４９】
画像形成装置本体１の上部に配置される原稿読取部５は、原稿が載置される原稿台としてのコンタクトガラス５ａと、原稿を照明する照明光源５ｂと、原稿からの反射光を反射する第１ミラー５ｃ、第２ミラー５ｄ、第３ミラー５ｅと、原稿からの反射光を結像する結像レンズ５ｆと、その結像位置に配置されて原稿画像を読み取る読取手段としてのＣＣＤ等のイメージセンサ５ｇとを備えている。
【００５０】
この原稿読取部５の上には、コンタクトガラス５ａに載置された原稿を押さえる圧板３３、または圧板３３に代えて、コンタクトガラス５ａに原稿を自動給紙する自動原稿給紙装置（ＡＤＦ）が設けられる。
【００５１】
次に、この画像形成装置を用いてコピーを取る場合について説明する。
コピーを取るときは、まず圧板３３を開いて原稿読取部５のコンタクトガラス５ａ上に原稿をセットし、または圧板３３に代えてＡＤＦを設けるときは、ＡＤＦの原稿台上に原稿をセットする。
【００５２】
次いで、操作部６のスタートスイッチを押すと、コンタクトガラス５ａ上に原稿をセットしたときは、直ちに原稿読取部５を駆動し、またＡＤＦの原稿台上に原稿をセットしたときは、原稿を搬送してコンタクトガラス５ａ上へと移動した後に原稿読取部５を駆動する。そして、光源５ｂと第１ミラー５ｃを搭載する第１走行体、および第２ミラー５ｄと第３ミラー５ｅを搭載する第２走行体を各々走行し、光源５ｂから発した光を原稿面に当て、原稿面からの反射光を第１走行体の第１ミラー５ｃで反射して第２走行体に向け、第２走行体の第２、第３のミラー５ｄ，５ｅで反射して結像レンズ５ｆを通して読取手段であるＣＣＤ等のイメージセンサ５ｇに入れ、イメージセンサ５ｇで原稿内容を読み取る。その後、操作部６でのモード設定、または操作部６で自動モード選択が設定されている場合には、原稿の読み取り結果にしたがい、フルカラーモードまたは白黒モードで画像形成動作を開始する。
【００５３】
画像形成部２では、まず、帯電装置１２Ｙ，１２Ｃ，１２Ｍ，１２Ｂによって各感光体ドラム１１Ｙ，１１Ｃ，１１Ｍ，１１Ｂが一様に帯電された後、各感光体ドラム１１Ｙ，１１Ｃ，１１Ｍ，１１Ｂは、それぞれ４つのレーザ光源と共通の偏向器と４系統の走査光学系を有する光書込装置１３によりレーザ光にて露光走査され、感光体ドラム１１Ｙ，１１Ｃ，１１Ｍ，１１Ｂ上に静電潜像がつくられる。
【００５４】
各静電潜像は、４色の現像装置１４Ｙ，１４Ｃ，１４Ｍ，１４Ｂによりそれぞれ異なる色のトナーが付着されることにより現像され、個々の感光体ドラム１１Ｙ，１１Ｃ，１１Ｍ，１１Ｂの表面にそれぞれイエロ、シアン、マゼンタ、ブラックのトナー像が形成される。
【００５５】
次に、一次転写ローラ１５Ｙ，１５Ｃ，１５Ｍ，１５Ｂに一次転写電圧が印加され、感光体ドラム１１Ｙ，１１Ｃ，１１Ｍ，１１Ｂ上のトナーが、中間転写ベルト１７ａ上に順次転写されていく。このとき、各色の作像動作は、そのトナー像が中間転写ベルト１７ａの同じ位置に重ねて転写されるように、上流側から下流側に向けてタイミングをずらして実行される。
【００５６】
一方、上記の一次転写動作にタイミングを合わせて、給紙部３に備えるいずれかの給紙カセット３ａ，３ｂから、記録材としての記録用紙Ｓが給紙装置１９ａ，１９ｂで給紙され、または手差し用テーブル８に手差し記録用紙Ｓがセットされた場合には、その手差し記録用紙Ｓが手差し用テーブル８から給紙ローラ３０により給紙され、搬送ローラ３１で画像形成装置内に送り込まれる。そして、記録用紙Ｓの先端がレジストローラ２１まで到達したところで、図示しないセンサによって検知されて、この検出信号に基づきタイミングを取られ、レジストローラ２１によって記録用紙Ｓが、二次転写ローラ２２と中間転写ベルト１７ａの間の２次転写ニップ部に向けて送り出される。
【００５７】
２次転写ニップ部に向けて送り出された記録用紙Ｓには、中間転写ベルト１７ａ上に形成された画像が、２次転写ニップ部まで搬送されて、一括して二次転写される。画像が転写された記録用紙Ｓは、定着ユニット９に搬送されて熱と圧力により画像が定着され、搬送ローラ２３で排紙部４に向けて搬送され、排紙ローラ２４で胴内排紙部に排紙される。これにより、記録用紙Ｓ上にカラー画像が形成される。
【００５８】
また、操作部６で両面モードが選択され、両面コピーを行うときには、切換え爪２５で搬送路を切換え、定着済みの記録用紙Ｓを反転搬送路２７に一時的にスタックした後、反転搬送ローラ２６でスイッチバック式に進行方向を反転し、画像形成動作にタイミングを合わせて、両面用搬送路を搬送ローラ２８，２９により搬送し、レジストローラ２１に再給紙する。
【００５９】
そして、レジストローラ２１で再び２次転写ニップ部に給紙し、次に中間転写ベルト１７ａ上に形成された画像が記録用紙Ｓの裏面側にも転写される。裏面側にも画像が転写された記録用紙Ｓは、定着ユニット９に搬送されて熱と圧力により画像が定着され、搬送ローラ２３で排紙部４に向けて搬送され、排紙ローラ２４で排紙される。これにより、記録用紙Ｓの両面にカラー画像が形成される。
【００６０】
なお、感光体ドラム１１Ｙ，１１Ｃ，１１Ｍ，１１Ｂ上の残留トナーは、それぞれのクリーニング装置１６Ｙ，１６Ｃ，１６Ｍ，１６Ｂでクリーニングされ、その後、直流に交流成分のバイアスが重畳印加された帯電装置１２Ｙ，１２Ｃ，１２Ｍ，１２Ｂによって除電と同時に帯電され、次の作像に備える。また、中間転写ベルト１７ａ上の残留トナーは、中間転写ベルトクリーニング装置１８によってクリーニングされ、次の作像工程に備える。
【００６１】
図３には、上記図１および図２に示す画像形成装置本体１の背面側を、背面外装カバーを取り外した状態で示す。
【００６２】
画像形成装置本体１には、その背面側に集め、画像形成装置本体１を電気的に制御する電装基板等の電装部品を備えて上下方向に渡り配置することで省スペース化を図っている。図３に示すとおり、画像形成装置本体１内には、画像読取部５の背面に読取系の電装部品５Ａ、画像形成部２の背面左側に給紙カセットから排紙トレイまでの紙搬送系の電装部品２Ａ、背面右側上にはトナー補給系の電装部品２Ｂ、背面右側下には作像系の電装部品２Ｃ、給紙部３の背面に給紙系の電装部品３Ａが配置されている。
【００６３】
また、トナー補給系の電装部品２Ｂと作像系の電装部品２Ｃが取り付けられている範囲を被う閉位置と、その被いを解除して電装部品２Ｂ，２Ｃを開放する開位置とに開閉可能に、片開きの扉状の電装ボックス４０が取り付けられている。電装ボックス４０は、開閉部材である回転構造体で、画像形成装置本体１に対して、図３では図示しない回転軸を中心として回動するように支持されている。
【００６４】
電装ボックス４０は、背面側が開放される箱型形状をなし、その開放される背面側に別の電装部品２Ｄが搭載されており、背面側からその電装部品２Ｄのメンテナンスをすることができるようになっている。この例では、書き込み・モータ・センサの制御を行うシステム制御基板であるＢＩＣＵやコントローラ等が取り付けられている。電装ボックス４０の上下面には、各々内部の熱をボックス外に放熱するための放熱孔が複数形成されている。そして、電装ボックス４０を閉位置としたときに、それらの電装部品２Ｂ，２Ｃと第２の電装部品である電装部品２Ｄとが重なり合う位置関係とされる。
【００６５】
このように、画像形成装置本体１を電気的に制御する電装部品２Ａ，２Ｂ，２Ｃ，２Ｄ，３Ａ，５Ａを画像形成装置本体１の背面側に備えるので、背面側の外装カバーを外せば、電装部品２Ａ，２Ｄ，３Ａ，５Ａが露出され、さらに電装ボックス４０を開位置とすれば、電装部品２Ｂ，２Ｃが露出される。よって、電装部品のメンテナンスを容易とし、また電装部品を画像形成装置本体１の背面側にまとめて画像形成装置本体１の小型化を図ることができる。
【００６６】
図４には電装ボックス４０を開いた状態で、画像形成装置本体１の背面側を側方から見て示し、図５にはその状態を上から見て示す。図６には電装ボックスを閉めた状態で、画像形成装置本体１の背面側を側方から見て示し、図７にはその状態を上から見て示す。
【００６７】
図示するように、電装部品３Ａの上部には、画像形成装置本体１の片側半分にファン等の送風部材４２が２つ平面的に並べて配置される。それらの送風部材４２を被うように、板金カバー４３が取り付けられている。板金カバー４３には、送風部材４２と対応する位置に送風開口４４があけられている。そして、送風部材４２が駆動されることにより、下方から吸引された空気でまず電装部品３Ａが冷却され、次いで送風開口４４を通して送り出された空気で上方の電装部品２Ｂ，２Ｃが冷却されるようになっており、これにより温度上昇を防止することができる。
【００６８】
板金カバー４３には、プレート状の保持部材４５が立てて取り付けられている。この保持部材４５は、背面側から見ると、横長な門型をなし、両端下部が板金カバー４３で支持され、上部は正面側に折り曲げられている。そして、電装ボックス４０を回転軸４１を中心として回動して閉位置としたとき、その電装ボックス４０の下部が保持部材４５に重ね合わされてその重ね合わされた部分で背面側からねじ止めすることにより電装ボックス４０が画像形成装置本体１に対して固定保持される構造となっている。
【００６９】
そのような保持部材４５には、２つのプレート状のカバー部材４６の基端が、各々回動支点を中心として回動自在に軸支されている。カバー部材４６は、例えば板金カバー４３と同じ板金材料を用いて、基端側を角度α１の第１の曲げ部ａと角度α２の第２の曲げ部ｂで二段に折り曲げて形成されており、保持部材４５を潜って先端を平面状にまっすぐに伸ばしてフリーとしている。
【００７０】
そして、電装ボックス４０を開いた状態では、図４および図５に示すように、重力により落下して各カバー部材４６の先端側が板金カバー４３上に載置され、それらのカバー部材４６の先端側を板金カバー４３上に面接触して各々のカバー部材４６で送風部材４２の送風開口４４を塞ぐようになっている。このとき、第１の曲げ部ａは、保持部材４５から背面側に突出してなる。
【００７１】
よって、電装ボックス４０を閉めると、電装ボックス４０の下部により第１の曲げ部ａを押し込んで、上記回動支点を中心としてカバー部材４６を各々反時計方向に回動し、図６および図７に示すように被いを解除して送風開口４４を開放する第１位置とする。そして、自由端を右上方へと移動してそのカバー部材４６に、送風開口４４から出た風を図中斜め上方の電装部品２Ｂ，２Ｃへと案内する働きを持たせる。これにより、コストをかけずに、電装部品をより効果的に冷却することができる。
【００７２】
電装ボックス４０を開くと、第１の曲げ部ａの押し込みを解除して回動支点を中心としてカバー部材４６を各々重力により時計まわりに回動し、図４および図５に示すように再び送風開口４４を塞ぐ第２位置とする。
【００７３】
すなわち、カバー部材４６は、開閉部材である電装ボックス４０の開閉動作に連動して移動自在に設け、電装ボックス４０が閉位置にあるときは、送風開口４４を開放する第１位置とし、電装ボックス４０が開位置にあるときは、送風開口４４を塞ぐ第２位置とする。よって、電装関係のメンテナンス時に落下したねじ等が送風開口４４から内部に入り込むことを防止することができ、送風開口４４にあらかじめ、スリットや孔のあるガードを付ける必要がないことから、電装ボックス４０を閉位置として使用するときの送風効率の低下も防ぐことができる。
【００７４】
加えて、電装ボックス４０の開閉動作に連動してカバー部材４６を移動するので、送風開口４４を塞いだり開放したりするカバー部材動作のための機構や部品を不要としてコストおよびレイアウトをミニマム化することができ、またメンテナンス時に電装ボックス４０を開位置としたとき自動的にカバー部材４６を閉じて送風開口４４を被う手間をなくし、また被い忘れをなくすことができる。
【００７５】
ところで、第２の曲げ部ｂの角度α２は、電装ボックス４０の開放状態において、カバー部材４６が風を案内して電装部品２Ｂ，２Ｃを冷却したい向きになるように設定されている。その結果、例えば、所定温度を超えると溶融してしまうようなトナー補給系の電装部品２Ｂに向けて上記送風部材４２の風が送られるような角度にα２を設定しておけば、トナー溶融を効果的に防ぐことができる。
【００７６】
なお、風を案内する方向を変更可能に、カバー部材４６を変形自在とするとよい。そして、上記回動支点に取り付けたとき、仮に希望する向きに風の流路が形成できなかった場合には、第２の曲げ部ｂの角度α２を調整してカバー部材４６の形状を適宜変更することにより、電装ボックス４０を閉位置としたときの押し込み量を変えてカバー部材４６の向きを容易に調整し、カバー部材４６から風を的確に案内して送風部材４２からの風で電装部品を効果的に冷却することができる。
【００７７】
ここで、カバー部材４６の形状の変更は、電装ボックス４０を開けた状態で画像形成装置本体１内に手を入れ、第２の折り曲げ部ｂの角度α２を調整することにより容易に行うことができる。
【００７８】
また、この例では、カバー部材４６が２つの送風部材４２にそれぞれに対応して設けられているので、例えば一方の送風部材４２に対応するカバー部材４６により電装部品２Ｂの所定部位を冷却し、他方の送風部材４２に対応するカバー部材４６により別の電装部品２Ｃの所定部位を冷却することも可能である。
【図面の簡単な説明】
【００７９】
【図１】この発明による電子機器の一例であるタンデム型の電子写真式画像形成装置の外観図である。
【図２】図１に示す画像形成装置の内部機構の全体概略構成図である。
【図３】図１および図２に示す画像形成装置本体の背面側を、背面外装カバーを取り外した状態で示す斜視図である。
【図４】電装ボックスを開いた状態で、画像形成装置本体の背面側を側方から見て示す概略構成図である。
【図５】それを上から見て示す概略構成図である。
【図６】電装ボックスを閉めた状態で、画像形成装置本体の背面側を側方から見て示す概略構成図である。
【図７】それを上から見て示す概略構成図である。
【符号の説明】
【００８０】
１    画像形成装置本体（電子機器本体）
２Ａ    電装部品
２Ｂ    電装部品
２Ｃ    電装部品
２Ｄ    第２の電装部品
３Ａ    電装部品
５Ａ    電装部品
４０    電装ボックス（開閉部材）
４１    回転軸
４２    送風部材
４３    板金カバー
４４    送風開口
４５    保持部材
４６    カバー部材
【図１】
2007148067.tif 000003
【図２】
2007148067.tif 000004
【図３】
2007148067.tif 000005
【図４】
2007148067.tif 000006
【図５】
2007148067.tif 000007
【図６】
2007148067.tif 000008
【図７】
2007148067.tif 000009